(57)【要約】【課題】  蒸気加減弁のウォーミング時間の短縮を図る。また、内壁温度制御動作切り替わり時の過大な蒸気の流入を抑える。【解決手段】  ウォーミング弁８が開口部９に到達し、蒸気が開口部９から蒸気加減弁５へ通気したことを検出してから、急速開動作から内壁温度制御動作に切り替える。また、ウォーミング弁８に蒸気が略流れ込まない開度ｈと蒸気が略流れ込む開度ｊの間で所定回数繰り返し開閉する予熱動作を行い、蒸気加減弁５に通気する蒸気量を調節して、蒸気加減弁５の内外壁温度差と蒸気加減弁５の内壁温度変化率が所定量発生するようにする。【選択図】図２
2005113697.tif 000002
【特許請求の範囲】
【請求項１】
蒸気発生器で発生した蒸気を、蒸気止め弁と蒸気加減弁を通して負荷に供給するようにした設備における前記蒸気加減弁のウォーミングを前記蒸気止め弁に設けたウォーミング蒸気量を調節するウォーミング弁の開度を制御することにより行うようにした蒸気加減弁ウォーミング制御装置であって、
前記ウォーミング弁を急速開する急速開動作を行い、
前記蒸気加減弁の蒸気通気開始を検出してから、
前記ウォーミング弁を前記急速開動作より遅い速度で開動作を行うようにしたことを特徴とする蒸気加減弁ウォーミング制御装置。
【請求項２】
蒸気発生器で発生した蒸気を、蒸気止め弁と蒸気加減弁を通して負荷に供給するようにした設備における前記蒸気加減弁のウォーミングを前記蒸気止め弁に設けたウォーミング蒸気量を調節するウォーミング弁の開度を制御することにより行うようにした蒸気加減弁ウォーミング制御装置であって、
前記ウォーミング弁に対し急速開動作を指令する急速開信号回路と、
前記蒸気加減弁の内壁温度変化率が所定値以下となるように前記ウォーミング弁に対し開動作を指令する内壁温度制御回路と、
前記蒸気加減弁の蒸気通気開始を検出する検出手段を設け、
前記急速開信号回路からの指令で前記ウォーミング弁の開動作を行い、
前記検出手段により前記蒸気加減弁の蒸気通気開始を検出してから、前記内壁温度制御回路からの指令で前記ウォーミング弁の開動作を行うようにしたことを特徴とする蒸気加減弁ウォーミング制御装置。
【請求項３】
蒸気発生器で発生した蒸気を、蒸気止め弁と蒸気加減弁を通して負荷に供給するようにした設備における前記蒸気加減弁のウォーミングを前記蒸気止め弁に設けたウォーミング蒸気量を調節するウォーミング弁の開度を制御することにより行うようにした蒸気加減弁ウォーミング制御装置であって、
前記ウォーミング弁はあらかじめ設定された前記蒸気が流れ込まない開度と前記蒸気が流れ込む開度の間で所定回数繰り返し開閉する予熱動作を行い、
前記ウォーミング弁に対する予熱動作が完了してから、
前記ウォーミング弁を全開方向に開動作するようにしたことを特徴とする蒸気加減弁ウォーミング制御装置。
【請求項４】
蒸気発生器で発生した蒸気を、蒸気止め弁と蒸気加減弁を通して負荷に供給するようにした設備における前記蒸気加減弁のウォーミングを前記蒸気止め弁に設けたウォーミング蒸気量を調節するウォーミング弁の開度を制御することにより行うようにした蒸気加減弁ウォーミング制御装置であって、
前記ウォーミング弁に対しあらかじめ設定された前記蒸気が流れ込まない開度と前記蒸気が流れ込む開度の間で所定回数繰り返し開閉する予熱動作を指令する予熱開閉制御回路と、
前記ウォーミング弁に対する前記予熱動作の完了を判定する予熱開閉制御完了判定器と、
前記予熱動作から前記ウォーミング弁を全開方向に開動作するように切り替える予熱制御完了切替えスイッチとを備え、
前記ウォーミング弁に対する前記予熱開閉制御回路による予熱動作が完了したかを予熱開閉制御完了判定器で判定し、その判定結果から予熱制御完了切替スイッチを切り替えて、前記ウォーミング弁を全開方向に開動作するようにしたことを特徴とする蒸気加減弁ウォーミング制御装置。
【請求項５】
前記ウォーミング弁の前記繰り返し開閉は、前記蒸気加減弁の内外壁温度差と前記蒸気加減弁の内壁温度変化率が所定量発生するように、前記蒸気加減弁に通気する前記ウォーミング蒸気量を調節したことを特徴とする請求項３または４記載の蒸気加減弁ウォーミング制御装置。
【請求項６】
前記ウォーミング弁の前記全開方向への開動作は、前記ウォーミング弁を急速開する急速開動作で行い、前記蒸気加減弁の蒸気通気開始を検出してから、前記ウォーミング弁を前記急速開動作より遅い速度で開動作を行うようにしたことを特徴とする請求項３または４記載の蒸気加減弁ウォーミング制御装置。
【請求項７】
蒸気発生器で発生した蒸気を、蒸気止め弁と蒸気加減弁を通して負荷に供給するようにした設備における前記蒸気加減弁のウォーミングを前記蒸気止め弁に設けたウォーミング蒸気量を調節するウォーミング弁の開度を制御することにより行うようにした蒸気加減弁ウォーミング制御装置であって、
前記ウォーミング弁はあらかじめ設定された前記蒸気が流れ込まない開度と前記蒸気が流れ込む開度の間で所定回数繰り返し開閉する予熱動作を行い、
前記蒸気加減弁の内外壁温度差と前記蒸気加減弁の内壁温度変化率が所定量発生するように、前記蒸気加減弁に通気する前記ウォーミング蒸気量を調節したことを特徴とする蒸気加減弁ウォーミング制御装置。
【請求項８】
蒸気発生器で発生した蒸気を、蒸気止め弁と蒸気加減弁を通して負荷に供給するようにした設備における前記蒸気加減弁のウォーミングを前記蒸気止め弁に設けたウォーミング蒸気量を調節するウォーミング弁の開度を制御することにより行うようにした蒸気加減弁ウォーミング制御装置であって、
前記ウォーミング弁をあらかじめ設定された前記蒸気が流れ込まない開度と前記蒸気が流れ込む開度の間で所定回数繰り返し開閉する予熱動作を指令する予熱開閉制御回路と、
前記ウォーミング弁に対する前記予熱動作の完了を判定する予熱開閉制御完了判定器と、
前記予熱動作から前記ウォーミング弁を全開方向に開動作するように切り替える予熱制御完了切替スイッチと、
前記ウォーミング弁を全開方向に開動作するために前記ウォーミング弁に対し急速開動作を指令する急速開信号回路と、
前記ウォーミング弁を全開方向に開動作するために前記蒸気加減弁の内外壁温度差が所定値以下または内壁温度変化率が所定値以下となるように前記ウォーミング弁に対し開動作を指令する内壁温度制御回路と、
前記蒸気加減弁の蒸気通気開始を検出する検出手段を設け、
前記予熱開閉制御回路による前記ウォーミング弁の予熱動作が完了したかを予熱開閉制御完了判定器で判定し、その判定結果から予熱制御完了切替スイッチを切り替えて、前記ウォーミング弁を全開方向に開動作するようにし、前記全開方向への開動作は、
前記急速開信号回路からの指令で前記ウォーミング弁の開動作を行い、
前記検出手段により前記蒸気加減弁の蒸気通気開始を検出してから、前記内壁温度制御回路からの指令で前記ウォーミング弁の開動作を行うようにしたことを特徴とする蒸気加減弁ウォーミング制御装置。
【発明の詳細な説明】
【技術分野】
【０００１】
本発明は、蒸気発生器で発生した蒸気を、負荷に供給する設備の蒸気流入量を調整する蒸気加減弁のウォーミング制御装置に関する。
【背景技術】
【０００２】
従来の蒸気加減弁のウォーミング制御装置は、ウォーミング動作において、ウォーミング弁を急速開する急速開動作から許容する蒸気加減弁内外壁温度差内で蒸気加減弁内壁温度変化率があらかじめ設定された目標値となるようにウォーミング弁の開度の調整を行う内壁温度制御動作に切り替えるようになっている。この切り替えるタイミングは、蒸気加減弁の保護のためウォーミング弁が弁体に設けた開口部に到達する開度より小さい開度で切り替えるように設定していた。なお、蒸気加減弁のウォーミング制御装置として、特許文献１に記載されたものがある。
【０００３】
【特許文献１】特開平０５−２２２９０３号公報
【発明の開示】
【発明が解決しようとする課題】
【０００４】
従来の蒸気加減弁のウォーミング制御装置では、開口部到達前から内壁温度制御動作に切り替わることになり、ウォーミング弁の開閉速度が急速開動作時よりも遅い分、ウォーミングに時間がかかっていた。また、ウォーミング開始前蒸気加減弁に蒸気が供給されておらず、弁内が充分に冷却された状態である場合は、内外壁温度差なし、内壁温度変化率なしの状態のため、内壁温度制御動作切替後はウォーミング弁の開度を上限まで開け続けることとなる。このため、内壁温度制御動作に切り替わりウォーミング弁が開口部に到達した時過大な蒸気の流入となり、内外壁温度差並びに、内壁温度変化率が大きくなり、内外壁温度差の許容値または内壁温度変化率の目標値を超える傾向があった。
【０００５】
本発明の目的は、蒸気加減弁のウォーミング時間の短縮を図ることである。また、他の目的は、内壁温度制御動作切り替わり時の過大な蒸気の流入を抑えることである。さらにもう１つの目的は、内壁温度制御動作開始時の過大な蒸気の流入を抑制しウォーミング時間の短縮を図る蒸気加減弁のウォーミング制御装置を提供することである。
【課題を解決するための手段】
【０００６】
上記目的を達成するため、本発明は、ウォーミング動作において蒸気加減弁の蒸気通気開始を検出してから、ウォーミング動作の種類を切り替える。さらに、他の目的を達成するため、本発明は、ウォーミング弁に蒸気が流れ込まない開度と蒸気が流れ込む開度の間で所定回数繰り返し開閉する予熱動作を行い、蒸気加減弁に通気する蒸気量を調節する。さらにもう１つの目的を達成するため、本発明は、ウォーミング弁に予熱開閉制御回路からの指令で予熱動作を行い、予熱動作完了により、ウォーミング弁を全開方向に開動作するように切り替え、全開方向への開動作として急速開動作を行い、蒸気加減弁の蒸気通気開始を検出してから、内壁温度制御動作を行うようにした。
【発明の効果】
【０００７】
本発明によれば、蒸気加減弁のウォーミング時間の短縮を図ることが可能である。また、内壁温度制御動作切り替わり時の過大な蒸気の流入を抑制することが可能である。さらに、ウォーミング動作において内壁温度制御動作開始時の過大な蒸気の流入を抑制しウォーミング時間の短縮を図ることができる。
【発明を実施するための最良の形態】
【０００８】
以下に本発明を実施した例を説明する。
【実施例１】
【０００９】
本発明の第１の実施例を図１を使用して説明する。
【００１０】
蒸気発生設備１で発生した蒸気は蒸気配管２を通り負荷３に供給される。蒸気配管２には蒸気の遮断を行う蒸気止め弁４と、負荷３への流入蒸気を調整するために負荷制御装置６で制御する蒸気加減弁５を蒸気止め弁４に蒸気室２５で連結して設置する。蒸気発生設備１がたとえば原子炉であった場合、原子炉昇圧完了時の蒸気温度は約２８０℃であり、蒸気加減弁５はプラント停止時の室温約３０℃から２８０℃まで加熱されることになる。急激な蒸気加減弁５の加熱は、蒸気加減弁５の内壁，外壁における熱膨張率の相違からひび割れの原因となる。このため負荷３に蒸気を供給開始する前に、あらかじめ蒸気加減弁５を暖めるための蒸気加減弁ウォーミング設備と制御装置を設け、蒸気加減弁５の急激な加熱を抑制する。
【００１１】
蒸気加減弁ウォーミング設備は蒸気止め弁弁体７内に設けたウォーミング弁８を、ウォーミング弁８の弁棒２４の下部にあるシリンダーの油圧を制御弁１０で調整し開閉動作させることにより蒸気発生設備１からの蒸気を蒸気加減弁５に流入させることで行う。ウォーミング弁８の全閉状態を実線で、全開状態を破線で示す。ここでウォーミング弁８が少しでも開いた時、ただちに蒸気が蒸気加減弁５に流入するのではなく、ある程度開動作を行い弁体７に設けた開口部９に到達後、この開口部９を通って流入する。ウォーミング弁８はさらに破線で示す全開状態まで開動作を継続できる。
【００１２】
ウォーミング制御装置は開口部９到達までは、ウォーミング弁に対し、急速開動作を指令する信号を出力する急速開信号回路１５による制御でウォーミング弁を急速開動作させ、到達後は、急速開信号回路１５より遅い速度でウォーミング弁に開動作を指令する信号を、蒸気加減弁の内壁温度があらかじめ設定した変化率以内で上昇するように出力する内壁温度制御回路１４による制御でウォーミング弁を開動作させ、蒸気加減弁５のウォーミングを行う。前記内壁温度制御回路１４による蒸気加減弁５のウォーミング動作を内壁温度制御動作と呼ぶ。内壁温度制御動作は内外壁温度計１１で検出した温度信号を内壁温度制御回路１４に入力し、内壁温度制御回路１４で内外壁温度差並びに、蒸気加減弁内壁温度変化率を計算し、蒸気加減弁の内外壁温度差が所定値以下または内壁温度変化率が所定値以下で蒸気加減弁内壁温度が上昇するように制御する。好ましくは、許容する加減弁内外壁温度差内で、蒸気加減弁内壁温度変化率があらかじめ設定された目標値で蒸気加減弁内壁温度が上昇するように制御する。例えば、内外壁温度差が許容値より大きい場合または、内壁温度変化率が目標値より大きい場合はウォーミング弁８の閉動作を行い蒸気の流入量を減らし、小さい時は開動作を行い蒸気の流入量を増大させるように、弁棒２４の下部にあるシリンダーの油圧を制御弁１０で調整するため、内壁温度制御回路１４から信号を出力して制御する。
【００１３】
図１に示す本発明の蒸気加減弁ウォーミング制御装置は、蒸気加減弁５に通気検出器
１３を設置し、蒸気加減弁ウォーミング制御装置２３に内壁温度制御開始開度検出器１７を設置して、該開始開度検出器１７で蒸気加減弁５に蒸気が通気開始したウォーミング弁８の開度を検出してから、急速開信号回路１５による急速開動作から内壁温度制御回路
１４による内壁温度制御動作に切替えるように構成している。
【００１４】
通気検出器１３は例えば集音器で蒸気加減弁５内部への高圧蒸気の流入音を検出する。通気検出器１３で検出した音の信号を内壁温度制御開始開度検出器１７へ出力する。
【００１５】
内壁温度制御開始開度検出器１７には、ウォーミング弁開度を検出する開度検出器１２と、蒸気加減弁５に設置した通気検出器１３からの信号を入力する。通気検出器１３から入力した音の信号を監視し、ウォーミング弁８が開動作し、開口部９に到達し蒸気が蒸気加減弁５への流入開始したことによる音色の変化を検知する。音色の変化した時の開度検出器１２から入力しているウォーミング弁開度を蒸気の通気開始開度として、この開度を内壁温度制御開始開度設定器１８に設定する。
【００１６】
ウォーミング開始時の開口部９到達までの急速開信号回路１５による急速開動作と、到達後の内壁温度制御回路１４による内壁温度制御動作への切替えは急速開信号回路１５からの信号と内壁温度制御回路１４からの信号を急開／温度制御切替スイッチ１６に入力し、どちらを制御弁１０に出力するかを切替えることで行う。スイッチが実線から破線に切替わると内壁温度制御回路１４からの信号に切替わる。急開／温度制御切替スイッチ１６の切替信号は、信号比較器１９より出力される。
【００１７】
内壁温度制御開始開度設定器１８では内壁温度制御開始開度検出器１７から設定された蒸気の通気開始開度を信号比較器１９へ出力する。信号比較器１９では内壁温度制御開始開度設定器１８に設定された蒸気の通気開始開度と開度検出器１２による実測開度との比較をし、急開／温度制御切替スイッチ１６に切替信号を出力する。
【００１８】
以上により、制御弁１０に出力する信号が急速開信号回路１５の出力信号から内壁温度制御回路１４の出力信号に切替わる急開／温度制御切替スイッチ１６の切替タイミングは開度検出器１２で実測したウォーミング弁通気開始開度以上の開度を検出してからである。
【００１９】
尚、本例では通気検出器１３を集音器とし、内壁温度制御開始開度検出器１７での通気検知を流入音で判定したが、通気検出器１３を圧力計として蒸気加減弁５内圧力を監視し、判定を蒸気流入による圧力の変化で行うことも可能である。
【００２０】
図１に示す本発明のウォーミング弁開度と内壁温度の変化を図３（ｂ）に示してある。図３（ａ）にある従来方式と比較すると明らかなように、本発明によれば、内壁温度制御開始開度検出器１７で蒸気通気開始を検出した弁開度を開度検出器１２で実測しており、この開度を検出してから急速開信号回路１５による急速開動作から内壁温度制御回路１４による内壁温度制御動作に切替えることが可能になったことにより、蒸気が通気開始していない段階での内壁温度制御回路１４による内壁温度制御動作を阻止でき、ウォーミング時間の短縮を図ることができる。
【実施例２】
【００２１】
本発明の第２の実施例を図２を使用して説明する。
【００２２】
図２の発明は、第１の実施例で記載の蒸気加減弁ウォーミング制御装置２３に、ウォーミング開始時の急速開信号回路１５から内壁温度制御回路１４への切替時における過大な蒸気の流入を抑える予熱開閉制御回路２１を追加した蒸気加減弁ウォーミング制御装置
２３である。本発明の蒸気加減弁ウォーミング制御装置２３は、新たに予熱開閉制御回路２１と予熱制御完了切替スイッチ２０，予熱開閉制御完了判定器２２を設置する。予熱開閉制御回路２１は、ウォーミング開始時に予熱開閉制御によるウォーミング動作を指令する信号を出力する。予熱制御完了切替スイッチ２０には、予熱開閉制御回路２１からの信号と前記急開／温度制御切替スイッチ１６からの信号が入力されている。予熱開閉制御完了判定器２２では、ウォーミング弁８の開閉回数をカウントし、予め設定した開閉回数ｎ回となった場合切替信号を予熱制御完了切替スイッチ２０に出力する。予熱制御完了切替スイッチ２０は始め予熱開閉制御回路２１の信号を制御弁１０に出力し、ウォーミング弁に対し、予熱開閉制御を行わせ、予熱開閉制御完了判定器２２からの切替信号入力で実線から破線側にスイッチを切替え急開／温度制御切替スイッチ１６からの信号によるウォーミング動作に切替わる。
【００２３】
尚、本例では予熱開閉制御完了判定器２２での開閉制御完了判定条件としてウォーミング弁８の開閉回数ｎ回としたが、蒸気加減弁５の内外壁温度又は、内壁温度変化率が所定の値となったこと又は、蒸気加減弁５内圧力が所定の圧力になったことで検出することも可能である。
【００２４】
図３（ｃ）に、図２の発明のウォーミング弁開度と内壁温度の変化を示す。本第２の実施例による発明では、ウォーミング開始時に急速開信号回路１５による制御を開始させる前に、予熱開閉制御回路２１からの信号により、蒸気加減弁５に少量の蒸気を通気させることで予熱によるウォーミング（予熱動作）が可能となる。このため、あらかじめ、蒸気加減弁ウォーミング制御装置２３に、ウォーミング弁８の弁開度として、蒸気が略流れ込まない開度ｈと蒸気が略流れ込む開度ｊと予熱開閉制御回路２１によるウォーミング弁８の開閉回数ｎとその開閉１動作のサイクルタイムｔを設定しておく。なお、開閉回数ｎとサイクルタイムｔは、蒸気加減弁への過大な蒸気の流入が発生しない範囲で設定するのが好ましい。ウォーミング弁８の１回分の開閉動作は、図３（ｃ）に示す通りで、例えば、１周期の開閉動作は、開度ｈ→開度ｊ→開度ｈのように動作する。そしてこの開閉動作の形状は、図に示したような台形型でも良いし、三角形，のこぎり歯形，sin カーブ形などが考えられる。ウォーミング開始により予熱開閉制御回路２１の信号でウォーミング弁８が全閉より開度ｊまで開動作し、その後ウォーミング弁開閉１動作のサイクルタイムｔで開度ｈと開度ｊの間を設定した開閉回数ｎ回だけ開閉動作を行わせる。これにより蒸気加減弁５に予熱動作によるウォーミングが行われ、蒸気加減弁内外壁温度差と内壁温度変化率を所定値以内に発生させることができる。そして、予熱動作の開閉回数がｎ回になり、予熱開閉制御回路２１による予熱動作が完了し、急速開信号回路１５による急速開動作を経て内壁温度制御回路１４による内壁温度制御動作に移った時、蒸気加減弁内外壁温度差と内壁温度変化率が設定された目標値範囲内にあることからウォーミング弁８に対する全開指令の出力を防止する。これにより、蒸気加減弁５が温まる前の過大な蒸気の流入を抑制することができ、急激な加温による蒸気加減弁内外壁の熱膨張率の相違によるひび割れなどの蒸気加減弁５に対する悪影響を防止する効果を有する。
【００２５】
また、予熱開閉制御回路２１による予熱動作から急速開信号回路１５による急速開動作への切替えは、次のように行われる。
【００２６】
開閉回数ｎ回目のウォーミング弁８開度ｈからｊへの開動作において、ウォーミング弁８が開口部９に到達した時の弁開度ｋを内壁温度制御開始開度検出器１７で検出し、内壁温度制御開始開度設定器１８に設定する。
【００２７】
なお、弁開度ｋの検出は、前述のように最後の開閉回数ｎ回目のウォーミング弁８開度ｈからｊへの開動作中での検出の他、ｊからｈへの閉動作中での検出や毎回の開動作において実測したｋの平均値，毎回の閉動作において実測したｋの平均値，毎回の開閉動作において実測したｋの平均値を内壁温度制御開始開度設定器１８に設定する弁開度ｋとして採用しても良いし、ウォーミング弁８や弁棒２４の熱膨張率の変化を考慮して、毎回のｋの実測値から予測した開度を内壁温度制御開始開度設定器１８に設定する弁開度ｋとすることも可能である。開閉回数が予め設定したｎ回目の動作が完了したことを予熱開閉制御完了判定器２２で判定し、予熱制御完了切替スイッチ２０を破線側に切替える。その後ウォーミング弁８は急速開信号回路１５の信号により弁開度ｈから急速開動作する。ウォーミング弁８開度は開度検出器１２で検出され、先に内壁温度制御開始開度検出器１７で検出し、予熱開閉制御回路２１による予熱動作中に内壁温度制御開始開度設定器１８に設定された開口部９に到達した時の開度ｋに到達した時信号比較器１９は切替え信号を出力し、急開／温度制御切替スイッチ１６を破線側に切替、内壁温度制御回路１４からの信号によりウォーミング弁８が動作するようになる。この時の内壁温度制御回路１４からの信号は、ウォーミング弁８の事前の蒸気加減弁５への蒸気の流入による予熱動作で蒸気加減弁内外壁温度差が発生し、内壁温度変化率が所定値以内で発生していることから、ウォーミング弁８への過大な開動作の要求信号を出力せず蒸気加減弁５への過大な蒸気の流入を抑制できる。
【００２８】
なお、予熱開閉制御回路２１による予熱動作完了後の他のウォーミング動作に切替える方法は、本例の方法以外に、急速開信号回路１５による急速開動作から内壁温度制御回路１４による内壁温度制御動作への切替えを開口部９に到達した時の開度ｋを検出したことによらず、開度ｈと開度ｊの中間開度を検出したことでも実施できる。また、予熱動作完了後、急速開動作を行わず開度ｈあるいは開度ｊから内壁温度制御動作に切替えることも可能である。この場合、急開／温度制御切替スイッチ１６，急速開信号回路１５，内壁温度制御開始開度設定器１８，信号比較器１９を除くことができ、コスト低減することができる。
【図面の簡単な説明】
【００２９】
【図１】本発明の第１の実施例を説明する図。
【図２】本発明の第２の実施例を説明する図。
【図３（ａ）】従来のウォーミング弁開度と内壁温度の変化を示す図。
【図３（ｂ）】第１の実施例のウォーミング弁開度と内壁温度の変化を示す図。
【図３（ｃ）】第２の実施例のウォーミング弁開度と内壁温度の変化を示す図。
【符号の説明】
【００３０】
１…蒸気発生設備、２…蒸気配管、３…負荷、４…蒸気止め弁、５…蒸気加減弁、６…負荷制御装置、７…弁体、８…ウォーミング弁、９…開口部、１０…制御弁、１１…内外壁温度計、１２…開度検出器、１３…通気検出器、１４…内壁温度制御回路、１５…急速開信号回路、１６…急開／温度制御切替スイッチ、１７…内壁温度制御開始開度検出器、１８…内壁温度制御開始開度設定器、１９…信号比較器、２０…予熱制御完了切替スイッチ、２１…予熱開閉制御回路、２２…予熱開閉制御完了判定器、２３…蒸気加減弁ウォーミング制御装置、２４…弁棒、２５…蒸気室、ｈ…蒸気が略流れ込まない弁開度、ｊ…蒸気が略流れ込む弁開度、ｋ…蒸気が流れ込み始めたことを検出した弁開度の実測値、ｎ…予熱開閉制御回路によるウォーミング弁の開閉回数、ｔ…開閉１動作のサイクルタイム。
【図１】
2005113697.tif 000003
【図２】
2005113697.tif 000004
【図３（ａ）】
2005113697.tif 000005
【図３（ｂ）】
2005113697.tif 000006
【図３（ｃ）】
2005113697.tif 000007